(57)【要約】【課題】  スキャナー装置と管理サーバとがネットワークで接続されたシステムにおいて、印刷物の印刷情報読取り制限を可能とする。【解決手段】  スキャナー装置１３は、印刷情報の読取部１１と、印刷物に付されたＲＦＩＤチップに格納された記録情報を検出する検出部１９と、記録情報を管理サーバ５に送信し管理サーバ５から読取許可／不許可情報を受信する通信部１と、受信した読取不許可情報に基づきその読取部１１の読取りを禁止制御する読取制御部７とを有する。管理サーバ５は、ネットワーク３を介してスキャナー装置１３に接続されそれを管理する。管理サーバ５は、その印刷情報の読取許可／不許可条件を有する管理データベースを参照し、スキャナー装置１３からの記録情報が読取不許可条件を満たすとき読取不許可情報をスキャナー装置１３に送信する。【選択図】  図１
2007201986.tif 000002
【特許請求の範囲】
【請求項１】
印刷物に表示された印刷情報を読取る印刷情報読取装置と、前記印刷物に関する読取許可／不許可情報を管理する管理サーバとがネットワークを介して接続されてなる印刷情報読取システムにおいて、
前記印刷情報読取装置は、前記印刷情報を読取る読取部と、前記印刷物に付されたＲＦＩＤチップに格納された記録情報を検出する検出部と、前記記録情報を前記管理サーバに送信するとともに前記管理サーバから前記読取許可／不許可情報を受信する通信部と、受信した前記読取許可情報に基づき前記読取部の読取り制御をし、受信した前記読取不許可情報に基づき前記読取部の読取り禁止制御をする読取制御部とを有し、
前記管理サーバは、前記印刷情報の読取許可／不許可条件を管理する管理データベースを有し、前記印刷情報読取装置からの前記記録情報が前記読取許可条件を満たすとき前記読取許可情報を当該印刷情報読取装置に送信し、前記記録情報が前記読取不許可条件を満たすとき前記読取不許可情報を当該印刷情報読取装置に送信する機能を有することを特徴とする印刷情報読取システム。
【請求項２】
前記印刷情報読取装置は、前記ＲＦＩＤチップに格納された記録情報としての読取許可レベル情報を前記管理サーバに送信する機能を有する請求項１記載の印刷情報読取システム。
【請求項３】
前記管理サーバは、前記印刷情報読取装置から送信された更新情報に基づき前記管理データベースの前記読取許可／不許可条件を更新するものである請求項１又は２記載の印刷情報読取システム。
【請求項４】
前記印刷情報読取装置は、読取った当該印刷物に関し前記読取部の読取動作情報を前記更新情報として前記管理サーバへ送信する機能を有する請求項１〜３のいずれか１項記載の印刷情報読取システム。
【請求項５】
前記印刷情報読取装置は、当該装置使用者に係る認証情報の入力部を有し、入力された前記認証情報を前記更新情報として前記読取動作情報とともに前記管理サーバへ送信する機能を有する請求項４記載の印刷情報読取システム。
【請求項６】
印刷物に表示された印刷情報を読取る印刷情報読取システム用制御コンピュータにおいて、
前記印刷物に付されたＲＦＩＤチップに格納された記録情報を検出する検出処理と、
前記記録情報を管理サーバに送信する送信処理と、
前記管理サーバにおいて前記印刷情報の読取許可／不許可条件を管理する管理データベースを参照して、前記記録情報が読取許可条件を満たすとき前記読取許可情報を、前記記録情報が前記読取不許可条件を満たすとき前記読取不許可情報をそれぞれ送信する送信処理と、
前記管理サーバから前記読取許可／不許可情報を受信する受信処理と、
受信した前記読取許可情報に基づき前記印刷情報を読取る読取処理と、
受信した前記読取不許可情報に基づき読取りを禁止する読取禁止処理と、
を実行するための印刷情報読取システム用プログラム。
【発明の詳細な説明】
【技術分野】
【０００１】
本発明は印刷情報読取システムおよび印刷情報読取システム用プログラムに係り、例えば金券（バウチャー）、紙幣、小切手、領収証等、重要度の高い印刷物の偽造を防止可能な印刷情報読取システムおよび印刷情報読取システム用プログラムに関する。
【背景技術】
【０００２】
従来、それら金券や紙幣等の印刷物から複写機を用いて偽造されるのを防止する方法として、複写機内に金券や紙幣等の図柄パターンを設定しておき、印刷時に読取った図柄パターンが複写禁止図柄パターンに一致するとき複写動作を停止する技術が提案されている。
【０００３】
ところが、このような複写機では、複写時に読取った図柄パターンが複写禁止図柄パターンに該当するか否かの解析を行っているだけなので、金券や紙幣等の汚れや損傷に弱く判読にも時間がかかるうえコスト高になり易いうえ、新規の金券や紙幣等が発行される都度、新たな複写禁止図柄パターンを設定する必要が生じてメンテナンスが煩雑である。
【０００４】
そこで、金券や紙幣等の印刷物に無線タグを埋め込み、複製管理やセキュリティ管理ができるようにした文書管理システムも提案されている。
【０００５】
例えば、ネットワークを介して接続され印刷物の複写を行う複写装置において、複写対象の用紙中に埋め込まれた無線タグを検知してその無線タグに書き込まれている文書の識別子および無線タグの識別子とを読み込む無線タグ入力部と、当該読取った文書の識別子および無線タグの識別子を文書サーバへ送って複製可否を問い合わせる検索部とを有し、その無線タグ入力部で用紙中の無線タグが検知され、その検索部からの問い合わせ結果が複製否のとき複写を禁止する構成が知られている（特許文献１参照）。
【特許文献１】特開２００５−０３５０９５号公報
【発明の開示】
【発明が解決しようとする課題】
【０００６】
しかしながら、特許文献１に記載された文書管理システムは、用紙中の無線タグを無線タグ入力部が検知したとき文書サーバへ複製可否を問い合わせ、その問い合わせ結果が複製否のとき複写を禁止するものであり、単に、複写を禁止するだけのものであって読取った印刷情報が流用されるおそれがある。
【０００７】
また、上述した重要な印刷物であっても、実際の使用や流通の過程において必ずしも複写を一律に禁止する必要がなかったり、一律に複写を禁止すると、却って使用や流通に支障を来す場合も予想され、偽造の確実な防止と円滑な使用流通の双方に寄与する観点からも改良すべき余地がある。
【０００８】
本発明はそのような課題を解決するためになされたもので、印刷物に表示された印刷情報の読取り制限が可能で、円滑な偽造防止に寄与する印刷情報読取システムおよび印刷情報読取システム用プログラムの提供を目的とする。
【課題を解決するための手段】
【０００９】
そのような課題を解決するために本発明に係る印刷情報読取システムは、印刷物に表示された印刷情報を読取る印刷情報読取装置と、その印刷物に関する読取許可／不許可情報を管理する管理サーバとがネットワークを介して接続されて構成されている。
【００１０】
しかも、上記印刷情報読取装置は、その印刷情報を読取る読取部と、その印刷物に付されたＲＦＩＤチップに格納された記録情報を検出する検出部と、その記録情報を上記管理サーバに送信するとともにこの管理サーバから読取許可／不許可情報を受信する通信部と、受信した読取許可情報に基づきその読取部の読取り制御をし、受信した読取不許可情報に基づきその読取部の読取り禁止制御をする読取制御部とを有している。
【００１１】
上記管理サーバは、その印刷情報の読取許可／不許可条件を管理する管理データベースを有し、その印刷情報読取装置からの記録情報が読取許可条件を満たすとき読取許可情報を、その記録情報が読取不許可条件を満たすとき読取不許可情報を当該印刷情報読取装置に送信する機能を有している。
【００１２】
そして、本発明では、上記印刷情報読取装置に、上記ＲＦＩＤチップに格納された記録情報としての読取許可レベル情報を上記管理サーバに送信する機能を備える構成も可能である。
【００１３】
また、本発明では、上記管理サーバに、上記印刷情報読取装置から送信された更新情報に基づき管理データベースの読取許可／不許可条件を更新する機能を備える構成も可能である。
【００１４】
さらに、本発明では、上記印刷情報読取装置に、読取った当該印刷物に関し読取部の読取動作情報をその更新情報として上記管理サーバへ送信する機能を備える構成も可能である。
【００１５】
さらにまた、本発明では、上記印刷情報読取装置に、当該装置使用者に係る認証情報の入力部を設け、入力されたその認証情報をその読取動作情報とともに上記管理サーバへ送信する機能を備える構成も可能である。
【００１６】
そして、本発明に係る印刷情報読取システム用プログラムは、印刷物に表示された印刷情報を読取る印刷情報読取システム用制御コンピュータにおいて、印刷物に付されたＲＦＩＤチップに格納された記録情報を検出する検出処理と、その記録情報を管理サーバに送信する送信処理と、その管理サーバにおいて印刷情報の読取許可／不許可条件を管理する管理データベースを参照して、その記録情報が読取許可条件を満たすとき読取許可情報を、その記録情報が読取不許可条件を満たすとき読取不許可情報をそれぞれ送信する送信処理と、その管理サーバから読取許可／不許可情報を受信する受信処理と、受信したその読取許可情報に基づき前記印刷情報を読取る読取処理と、受信したその読取不許可情報に基づき読取りを禁止する読取禁止処理とを実行するものである。
【発明の効果】
【００１７】
このような本発明に係る印刷情報読取システムおよび印刷情報読取システム用プログラムでは、上記印刷情報読取装置において、印刷物に付されたＲＦＩＤチップに格納された記録情報を検出し、その記録情報を管理サーバに送信するとともに管理サーバからその読取許可／不許可情報を受信するとともに受信読取許可情報に基づき読取部の読取り制御をし、受信読取不許可情報に基づきその読取部の読取り禁止制御をする一方、その印刷情報読取装置にネットワークを介して接続された管理サーバでは、その印刷情報の読取許可／不許可条件を管理する管理データベースを参照してその印刷情報読取装置からの記録情報が読取許可条件を満たすとき読取許可情報を、その記録情報が読取不許可条件を満たすとき読取不許可情報を当該印刷情報読取装置に送信するから、印刷物に表示された印刷情報の読取り制限が可能で、円滑な偽造防止に寄与する。
【００１８】
そして、上記印刷情報読取装置に、上記ＲＦＩＤチップに格納された記録情報としての読取許可レベル情報を上記管理サーバに送信する機能を備える構成では、印刷情報の読取りをごく限定された範囲に止めて偽造防止できる一方、印刷物の複写をある程度認めることが可能となって使用や流通に支障を来さない。
【００１９】
そして、上記管理サーバに、上記印刷情報読取装置から送信された更新情報に基づき管理データベースの読取許可／不許可条件を更新する機能を備える構成では、過去の印刷情報の読取り履歴に対応して読取りを許可／不許可にすることが可能となる。
【００２０】
さらに、上記印刷情報読取装置に、読取った当該印刷物に関して読取部の読取動作完了情報を更新情報として上記管理サーバへ送信する機能を備える構成では、読取り回数が所定の基準数を超えたときに自動的に読取りを不許可にすることが可能で、ある程度の複写と偽造防止が可能である。
【００２１】
さらにまた、上記印刷情報読取装置に、当該装置使用者に係る認証情報の入力部を設け、入力されたその認証情報を更新情報として読取動作情報とともに上記管理サーバに送信する機能を備える構成では、装置使用者毎に印刷物の読取許可／不許可の管理が可能である。
【発明を実施するための最良の形態】
【００２２】
以下、本発明に係る実施の形態を図面を参照して説明する。
【００２３】
図１は本発明に係る印刷情報読取システムを示すブロック図である。
【００２４】
図１において、通信部１は、有線又は無線ネットワーク３を介して外部の例えば管理サーバ５に接続されており、この管理サーバ５との間で後述する情報を送受信するものであり、読取制御部７に接続されている。
【００２５】
読取制御部７は、金券、紙幣、小切手、領収証等の重要度の高い印刷物に表示された印刷情報の読取りを制御する機能の他、後述する機能を有する。
【００２６】
記憶部９は、読取制御部７の制御の下、印刷物に表示された印刷情報の読取りを許可するか否かの読取許可情報又は読取不可情報その他を、読み書き可能に一時的に格納するもので、読取制御部７に接続されている。
【００２７】
読取部１１は、読取制御部７の制御の下、印刷物に表示された印刷情報を光学的にスキャンして読取り、電子的画像データとして出力する従来公知のものである。
【００２８】
例えば、図２に示すように、印刷情報読取装置（端末）としてのスキャナー装置１３に配置された自動給紙部１５（図１では単に給紙部と略す。）から、図示しない印刷物がフラットベット領域に搬送されるとともに排紙部１７から吐き出される過程で、印刷物に対してスキャンさせた光に基づき電子データに変換して読取り、例えばビットマップ形式その他のデータ形式で出力するものである。
【００２９】
上述した通信部１、読取制御部７および記憶部９は、スキャナー装置１３から抜き出して図示されているが、一般には内蔵されるものであるし、スキャナー装置１３自体も印刷物を自動給紙して搬送されるタイプに限定されない。
【００３０】
検出部１９は、読取部１１の近傍において、その搬送路に向けて配置されたセンサであり、後述するように、微弱電磁波を印刷物の読取り搬送路に向けて発射するとともに、印刷物に付されたＲＦＩＤチップ（図示省略）からの電磁波を受信し、読取制御部７の制御の下、読取部１１の読取り動作の際に、ＲＦＩＤチップに予め格納された記録情報その他を非接触で検出するものである。
【００３１】
ＲＦＩＤチップは、例えば印刷物に埋め込むよう又は表面に止着して付されたごく小さい１mm角程度のＩＣチップであり、記録情報として予め次のような情報が読み書き可能に格納されている。
【００３２】
すなわち、図３に示すように、個々のＲＦＩＤチップ自体を識別するための番号や符号の組合せである（１）ＲＦＩＤチップ固有ＩＤ、ＲＦＩＤチップの（２）発行者名、発行者の属する国を示す（３）国情報、ＲＦＩＤチップを付す（４）文書（印刷物）名称、発行者管理用の（５）発行連続番号、ＲＦＩＤチップの付された印刷物の印刷情報の読取りを禁止する（６）読取禁止情報、ＲＦＩＤチップの付された印刷物の重要度に対応したランクを示す（７）読取許可レベル情報（重要度レベル情報）、（８）その他を１６ビット又は３２ビット程度の電子データとして格納したマイクロチップである。
【００３３】
読取許可レベル情報は、印刷情報の重要度が高くて読取りを制限する順に、レベル１、レベル２、レベル３といった予め設定した複数レベルのうちの何れかを示す例えばレベル名である。
【００３４】
ＲＦＩＤチップは、例えば検出部１９から伝搬させた微弱電磁波を電源として動作して内部の記録情報を外部へ伝搬させるが、従来公知のものであるからその詳細な説明は省略する。
【００３５】
読取制御部７は、上述したようにレベル１〜レベル３といった読取許可レベル情報を含む記録情報を通信部１からネットワーク３を介して管理サーバ５に送信制御するとともに、後述するように読取部１１が１回の読取り動作を完了したとき、その動作完了情報を通信部１から管理サーバ５に送信制御する機能を有している。
【００３６】
読取制御部７は、ネットワーク３および通信部１を介して受信した管理サーバ５からの読取許可／不許可情報を記憶部９に一時的に格納するとともに、以下のような機能を有している。
【００３７】
すなわち、読取制御部７は、記憶部９に格納した管理サーバ５からの受信情報が読取許可情報であればそれに基づき読取部１１を読取り動作させる制御をする一方、受信情報が読取不許可情報であればそれに基づき読取部１１の読取り動作を禁止制御し、印刷情報を出力させない機能を有している。
【００３８】
読取制御部７は、検出部１９で検出した記録情報中に読取禁止情報があると判別したとき、管理サーバ５からの受信情報に関わりなく、読取部１１を起動させず又は起動後の読取り動作を無条件に停止して読取り禁止制御し、印刷情報を出力させない機能を有している。
【００３９】
上述した管理サーバ５は、ネットワーク３を介して１台又は複数の印刷情報読取装置としてのスキャナー装置１３を管理するもので、以下の機能を有している。
【００４０】
すなわち、管理サーバ５は、スキャナー装置１３における印刷情報の読取許可／不許可条件を管理する管理データベースを有し、そのスキャナー装置１３からの記録情報を解析して管理データベースを参照し、記録情報が読取許可条件を満たすと判断したとき読取許可情報を、その記録情報が読取不許可条件を満たすとき判断したとき読取不許可情報を当該スキャナー装置１３に送信する機能を有している。
【００４１】
管理データベースとしては、例えば図４に示すように、（ａ）ＲＦＩＤチップ固有ＩＤ、ＲＦＩＤチップの（ｂ）発行者名、ＲＦＩＤチップを付す（ｃ）文書（印刷物）名称、発行者管理用の（ｄ）発行連続番号、ＲＦＩＤチップの付された印刷物の（ｅ）読取り回数、ＲＦＩＤチップの付された印刷物の上述したレベル１〜レベル３を示す（ｆ）読取許可レベル情報、（ｇ）各ＲＦＩＤチップ固有ＩＤ毎の読取許可／不許可情報その他のデータを格納したデータテーブルである。
【００４２】
しかも、管理データベースは、個々のＲＦＩＤチップ固有ＩＤについて、それら発行者名、文書（印刷物）名称、発行連続番号、読取り回数、読取許可レベル情報および読取許可／不許可情報すなわち読取許可／不許可条件が関連付けてテーブル化されている。
【００４３】
さらに、管理データベースは、管理サーバ５の制御の下、スキャナー装置１３からの読取部１１の動作完了情報を受信する都度、管理データベースにおける（ｅ）読取り回数をカウントアップ又はカウントダウンして基準数を越えたら読取許可／不許可情報を変更更新する機能や、管理データベースに未登録のＲＦＩＤチップ固有ＩＤに関する記憶情報を追加登録する機能を有している。動作完了情報が更新情報となっている。
【００４４】
上述した管理サーバ５は、スキャナー装置１３から送信された記憶情報に含まれるＲＦＩＤチップ固有ＩＤについて管理データベースを参照し、該当するＲＦＩＤチップについて読取許可／不許可情報を検索し、読取許可条件に該当するか読取不許可条件に該当するかの判別を行うようになっている。
【００４５】
ここで、図５を参照して管理サーバ５とスキャナー装置１３との情報のやり取りを簡単に説明する。
【００４６】
まず、（１）スキャナー装置１３側から記録情報を管理サーバ５側へ送信し、（２）管理サーバ５では送られてきた記録情報を解析して管理データベースを照合し、読取り許可するものか否か判別し、読取許可／不許可情報をスキャナー装置１３側へ返信する。
【００４７】
ついで、（３）スキャナー装置１３では返信判別情報が、読取許可情報（読取り可）であれば印刷物へのスキャンを実行して読取り動作を行い、読取不許可情報（読取り非）であれば読取り禁止制御をするとともに、適当な表示部で読取りを停止した旨のメッセージを表示する。
【００４８】
さらに、（４）読取動作完了情報を管理サーバ５側へ送信し、管理サーバ５では管理データベースの（ｅ）読取り回数更新処理を行う。
【００４９】
なお、読取制御部７を中心とする通信部１や記憶部９等は、例えば図示しない種々の演算判断機能を有するＣＰＵ、このＣＰＵの動作プログラムを格納したＲＯＭおよび入出力インターフェースを有する印刷制御用のマイクロコンピュータで構成されており、スキャナー装置１３に搭載した従来機能を担うマイクロコンピュータにて兼用可能である。
【００５０】
このような本発明に係る印刷情報読取システムでは、スキャナー装置１３と管理サーバ５とがネットワーク３を介して接続されてなり、そのスキャナー装置１３は、印刷情報を読取る読取部１１と、その印刷物に付されたＲＦＩＤチップに格納された記録情報を検出する検出部１９と、その記録情報を管理サーバ５に送信するとともに管理サーバ５から読取許可／不許可情報を受信する通信部１と、受信した読取許可情報に基づきその読取部１１の読取りを制御するとともに受信した読取不許可情報に基づきその読取部１１の読取りを禁止制御する読取制御部とを有している。
【００５１】
また、上記管理サーバ５は、その印刷情報の読取許可／不許可条件を管理する管理データベースを有し、スキャナー装置１３からの記録情報が読取許可条件を満たすとき読取許可情報を、その記録情報が読取不許可条件を満たすとき読取不許可情報を当該スキャナー装置１３に送信する機能を有している。
【００５２】
そのため、管理サーバ５側から一元的にスキャナー１３側の読取り禁止制御が可能であるうえ、印刷物から印刷情報を出力させないから、印刷情報が流用される心配もない。
【００５３】
そして、本発明では、ＲＦＩＤチップに格納された記録情報としての読取許可レベル情報をスキャナー装置１３から上記管理サーバ５に送信する機能を備えるから、管理サーバ５においてその読取許可レベル情報と同じ又は高いか低いレベル情報を設定しておけば、管理サーバ５においてその読取許可レベル情報より高い重要度レベルの読取りを禁止することが可能となる。
【００５４】
そのため、管理サーバ５において基準とする読取許可レベル情報のレベルを上げれば、印刷物の複写をごく限定された範囲に止めて印刷情報を出力させずに偽造防止が確実となる一方、基準とする固有読取許可レベル情報のレベルを下げれば、印刷物の複写を広範囲に認めることが可能となって使用や流通に支障を来さない。
【００５５】
しかも、スキャナー装置１３からの更新情報に基づき、管理サーバ５側で管理データベースの更新が可能であるから、所定の条件が満たされた場合に読取許可情報又は読取不許可情報を出力可能となり、自動的に読取許可と不許可の程度を変更可能である。
【００５６】
すなわち、スキャナー装置１３に、読取制御部７の制御の下、読取部１１からの読取動作完了情報（更新情報）を管理サーバ５に送信する機能を備えたから、読取り回数が基準数を超えた場合に自動的に読取不許可情報を出力可能となり、上述した効果が得られる。
【００５７】
ところで、本発明に係るスキャナー装置１３では、図１に示すように、入力部２１を設け、この入力部２１から読取制御部７に社員番号や許可ＩＤ番号等、装置使用者の本人認証情報を入力可能に形成し、読取制御部７の制御の下、読取部１１からの読取動作完了情報とともに本人認証情報を更新情報として管理サーバ５に送信する機能を備えることが可能である。
【００５８】
このように、読取部１１からの読取動作完了情報とともに本人認証情報をスキャナー装置１３から管理サーバ５に送信可能に構成すれば、管理サーバ５における管理データベースにて、本人認証した装置使用者毎に印刷物の読取動作回数を履歴管理し、装置使用者毎に印刷物の読取許可／不許可の管理が可能である。
【００５９】
そして、本発明に係る印刷制御装置は、上述したスキャナー装置１３に限定されず、複写機その他印刷物から印刷情報を読み取る機器と管理サーバ５の組合せにおいて利用可能である。
【００６０】
また、本発明に係る印刷情報読取制御プログラムにつき言及すれば、上述したスキャナー装置（端末）１３および管理サーバ５の機能を有する印刷情報読取制御用コンピュータにおいて、印刷物に付されたＲＦＩＤチップに格納された記録情報を端末側で検出する検出処理と、その記録情報を管理サーバに送信する送信処理と、その管理サーバにて印刷情報の読取許可／不許可条件を管理する管理データベースを参照して、その記録情報が読取許可条件を満たすとき読取許可情報を、その記録情報が前記読取不許可条件を満たすとき前記読取不許可情報をそれぞれ送信する送信処理と、その端末側にて、その管理サーバから読取許可／不許可情報を受信する受信処理と、受信したその読取許可情報に基づき前記印刷情報を読取る読取処理と、受信したその読取不許可情報に基づき読取りを禁止する読取禁止処理とを実行するものである。
【図面の簡単な説明】
【００６１】
【図１】本発明に係る印刷情報読取システムの実施の一形態を示すブロック図である。
【図２】スキャナー装置の概略を示す図である。
【図３】ＲＦＩＤチップ内の記録情報例を概略的に示す図である。
【図４】管理サーバ内の管理データベースを概略的に示す図である。
【図５】スキャナー装置と管理サーバ間の処理動作を説明する概略図である。
【符号の説明】
【００６２】
１  通信部
３  ネットワーク
５  管理サーバ
７  読取制御部
９  記憶部
１１  読取部
１３  スキャナー装置（印刷情報読取装置）
１５  自動給紙部
１７  排紙部
１９  検出部
２１  入力部
【図１】
2007201986.tif 000003
【図２】
2007201986.tif 000004
【図３】
2007201986.tif 000005
【図４】
2007201986.tif 000006
【図５】
2007201986.tif 000007